(57)【要約】【課題】設定した優先順位に基づいて複数の蓄電装置を放電させる場合に、放電させる蓄電装置の間で優先順位が高い蓄電装置の出力の増大を図ることができる電力供給システムを提供する。【解決手段】電力を充放電可能であって負荷へと電力を出力可能な複数の住宅用蓄電池システム２０と、住宅用蓄電池システム２０の動作を制御するＥＭＳ４０と、を具備し、ＥＭＳ４０は、複数の住宅用蓄電池システム２０それぞれに優先順位を設定し、前記優先順位の高い住宅用蓄電池システム２０から優先的に放電指示を行い、２以上の住宅用蓄電池システム２０に放電指示を行い、且つ、前記放電指示を受けた住宅用蓄電池システム２０のうち一の住宅用蓄電池システム２０の出力が当該一の住宅用蓄電池システム２０の最大出力でない場合は、前記一の住宅用蓄電池システム２０よりも前記優先順位の低い住宅用蓄電池システム２０の出力を抑制する出力抑制を行う。【選択図】図１
2018186676.tif 000002
【特許請求の範囲】
【請求項１】
電力を充放電可能であって負荷へと電力を出力可能な複数の蓄電装置と、
前記蓄電装置の動作を制御する制御部と、
を具備し、
前記制御部は、
複数の前記蓄電装置それぞれに優先順位を設定し、前記優先順位の高い前記蓄電装置から優先的に放電指示を行い、
２以上の前記蓄電装置に放電指示を行い、且つ、前記放電指示を受けた前記蓄電装置のうち一の蓄電装置の出力が当該一の蓄電装置の最大出力でない場合は、前記一の蓄電装置よりも前記優先順位の低い前記蓄電装置の出力を抑制する出力抑制を行う、
電力供給システム。
【請求項２】
前記出力抑制が行われる前記蓄電装置は、
前記放電指示を受けた前記蓄電装置のうち前記優先順位の最も低い前記蓄電装置である、
請求項１に記載の電力供給システム。
【請求項３】
前記制御部は、
前記出力抑制を行った後に前記一の蓄電装置の出力が前記最大出力でなくなった場合には、前記出力抑制を解除する、
請求項１又は請求項２に記載の電力供給システム。
【請求項４】
前記制御部は、
前記出力抑制を解除後に前記優先順位を変更する、
請求項３に記載の電力供給システム。
【請求項５】
前記制御部は、
前記蓄電装置の積算放電量に基づいて前記優先順位を設定する、
請求項１から請求項４までのいずれか一項に記載の電力供給システム。
【発明の詳細な説明】
【技術分野】
【０００１】
本発明は、電力を充放電可能な複数の蓄電装置を具備する電力供給システムの技術に関する。
【背景技術】
【０００２】
従来、電力を充放電可能な複数の蓄電装置を具備する電力供給システムの技術は公知となっている。例えば、特許文献１に記載の如くである。
【０００３】
特許文献１には、複数の蓄電装置を具備し、当該蓄電装置の電力を各住宅に放電可能な電力供給システムが記載されている。特許文献１に記載の電力供給システムにおいては、各蓄電装置が上流側から下流側に順番に配置されており、各住宅間で各蓄電装置の電力を融通し合うことができる。
【０００４】
しかしながら、このような電力供給システムにおいては、下流側に位置する蓄電装置の方が、上流側に位置する蓄電装置よりも放電され易くなる。このため、所定の条件に基づいて蓄電装置を放電する優先順位を設定したとしても、複数の蓄電装置を放電させる場合には、設定した優先順位にかかわらず、放電させる蓄電装置のうち下流側に位置する蓄電装置の出力（放電量）の方が、上流側に位置する蓄電装置の出力よりも大きくなり易い。このように、設定した優先順位に基づいて複数の蓄電装置を放電させる場合に、放電させる蓄電装置の間で優先順位の高い蓄電装置の出力が、優先順位の低い蓄電装置の出力よりも小さくなることがあるという問題があった。
【先行技術文献】
【特許文献】
【０００５】
【特許文献１】特開２０１７−２２９１９号公報
【発明の概要】
【発明が解決しようとする課題】
【０００６】
本発明は以上の如き状況に鑑みてなされたものであり、その解決しようとする課題は、設定した優先順位に基づいて複数の蓄電装置を放電させる場合に、放電させる蓄電装置の間で優先順位の高い蓄電装置の出力の増大を図ることができる電力供給システムを提供することである。
【課題を解決するための手段】
【０００７】
本発明の解決しようとする課題は以上の如くであり、次にこの課題を解決するための手段を説明する。
【０００８】
即ち、請求項１においては、電力を充放電可能であって負荷へと電力を出力可能な複数の蓄電装置と、前記蓄電装置の動作を制御する制御部と、を具備し、前記制御部は、複数の前記蓄電装置それぞれに優先順位を設定し、前記優先順位の高い前記蓄電装置から優先的に放電指示を行い、２以上の前記蓄電装置に放電指示を行い、且つ、前記放電指示を受けた前記蓄電装置のうち一の蓄電装置の出力が当該一の蓄電装置の最大出力でない場合は、前記一の蓄電装置よりも前記優先順位の低い前記蓄電装置の出力を抑制する出力抑制を行うものである。
【０００９】
請求項２においては、前記出力抑制が行われる前記蓄電装置は、前記放電指示を受けた前記蓄電装置のうち前記優先順位の最も低い前記蓄電装置であるものである。
【００１０】
請求項３においては、前記制御部は、前記出力抑制を行った後に前記一の蓄電装置の出力が前記最大出力でなくなった場合には、前記出力抑制を解除するものである。
【００１１】
請求項４においては、前記制御部は、前記出力抑制を解除後に前記優先順位を変更するものである。
【００１２】
請求項５においては、前記制御部は、前記蓄電装置の積算放電量に基づいて前記優先順位を設定するものである。
【発明の効果】
【００１３】
本発明の効果として、以下に示すような効果を奏する。
【００１４】
請求項１においては、設定した優先順位に基づいて複数の蓄電装置を放電させる場合に、放電させる蓄電装置の間で優先順位の高い蓄電装置の出力の増大を図ることができる。
【００１５】
請求項２においては、優先順位の最も低い蓄電装置の出力の抑制分を、出力が最大出力でなかった他の蓄電装置（一の蓄電装置）の出力に充てることができる。
【００１６】
請求項３においては、負荷の消費電力が比較的少なくなった場合に、出力抑制を解除することができる。
【００１７】
請求項４においては、優先順位をより適したものとすることができる。
【００１８】
請求項５においては、蓄電装置の放電量の偏りを低減することができる。
【図面の簡単な説明】
【００１９】
【図１】本発明の一実施形態に係る電力供給システムの構成を示したブロック図。
【図２】同じく、通常モードが実行された場合における電力の供給態様の一例を示したブロック図。
【図３】同じく、均等モードが実行された場合におけるＥＭＳによる事前設定の処理を示したフローチャート。
【図４】同じく、設定された放電優先順位の一例を示した図。
【図５】同じく、均等モードが実行された場合におけるＥＭＳによる第一実施形態に係る蓄電池システム動作の処理を示したフローチャート。
【図６】同じく、均等モードが実行された場合における電力の供給態様の一例を示したブロック図。
【図７】同じく、均等モードが実行され、複数の住宅用蓄電池システムが放電モードに設定された場合における電力の供給態様の一例を示したブロック図。
【図８】同じく、均等モードが実行された場合におけるＥＭＳによる出力抑制処理を示したフローチャート。
【図９】同じく、均等モードが実行され、２台の住宅用蓄電池システムが放電モードに設定された場合における出力抑制処理の一例を示したブロック図。
【図１０】同じく、均等モードが実行され、３台の住宅用蓄電池システムが放電モードに設定された場合における出力抑制処理の一例を示したブロック図。
【発明を実施するための形態】
【００２０】
以下では、図１を用いて、本発明の一実施形態に係る電力供給システム１について説明する。
【００２１】
電力供給システム１は、複数の戸建住宅（住宅Ｈ）からなる住宅街区Ｔ（住宅Ｈの集合体）に適用することを想定している。具体的には、住宅街区Ｔには、複数の（戸建）住宅Ｈとして、第一住宅Ｈ１、第二住宅Ｈ２、・・、第Ｎ住宅ＨＮが設けられる。住宅街区Ｔにおいては、電力小売事業者が電力会社（系統電源Ｓ）から電力を一括購入し、当該購入した電力が各住宅Ｈに適宜供給（売却）される。
【００２２】
電力供給システム１は、電力小売事業者が電力会社から一括購入した電力を、複数の住宅Ｈ（第一住宅Ｈ１、第二住宅Ｈ２、・・、第Ｎ住宅ＨＮ）間で適宜供給（融通）するためのシステムである。電力供給システム１は、主としてセンサ部１０、複数の住宅用蓄電池システム２０（第一住宅用蓄電池システム２１、第二住宅用蓄電池システム２２、・・、第Ｎ住宅用蓄電池システム２Ｎ）、共用蓄電池システム３０及びＥＭＳ４０を具備する。
【００２３】
複数の住宅Ｈ（第一住宅Ｈ１、第二住宅Ｈ２、・・、第Ｎ住宅ＨＮ）は、人が居住する建物である。各住宅Ｈには適宜の電気製品が設けられ、電力が消費される。
【００２４】
また、各住宅Ｈは、系統電源Ｓと接続される。具体的には、各住宅Ｈは、上流側端部が系統電源Ｓと接続されると共に下流側端部が分岐して各住宅Ｈと接続された配電線Ｌを介して、当該系統電源Ｓと接続される。
【００２５】
センサ部１０は、配電線Ｌを流通する電力を検出するものである。センサ部１０は、共用センサ１０Ｔ、第一センサ１１、第二センサ１２、・・、第Ｎセンサ１Ｎを具備する。
【００２６】
共用センサ１０Ｔ、第一センサ１１、第二センサ１２、・・、第Ｎセンサ１Ｎは、それぞれ配置箇所を流通する電力を検出するものである。共用センサ１０Ｔ、第一センサ１１、第二センサ１２、・・、第Ｎセンサ１Ｎは、それぞれ検出結果に関する信号を出力可能に構成される。共用センサ１０Ｔ、第一センサ１１、第二センサ１２、・・、第Ｎセンサ１Ｎは、それぞれ所定の蓄電池システムと対応するように設けられ、当該対応する住宅用蓄電池システムと電気的に接続される。
【００２７】
具体的には、共用センサ１０Ｔは、後述する共用蓄電池システム３０と電気的に接続される。また、第一センサ１１は、後述する第一住宅用蓄電池システム２１と電気的に接続される。また、第二センサ１２は、後述する第二住宅用蓄電池システム２２と電気的に接続される。また、第Ｎセンサ１Ｎは、後述する第Ｎ住宅用蓄電池システム２Ｎと電気的に接続される。
【００２８】
また、共用センサ１０Ｔ、第一センサ１１、第二センサ１２、・・、第Ｎセンサ１Ｎは、それぞれ配電線Ｌにおいて、前記対応する蓄電池システムが接続された連結点の直ぐ上流側に配置される。具体的には、共用センサ１０Ｔ、第一センサ１１、第二センサ１２、・・、第Ｎセンサ１Ｎは、それぞれ配電線Ｌにおいて、後述する共用連結点ＰＴ、第一連結点Ｐ１、第二連結点Ｐ２、・・、第Ｎ連結点ＰＮの直ぐ上流側に配置される。
【００２９】
複数の住宅用蓄電池システム２０（第一住宅用蓄電池システム２１、第二住宅用蓄電池システム２２、・・、第Ｎ住宅用蓄電池システム２Ｎ）は、系統電源Ｓからの電力を適宜充放電するためのシステムである。各住宅用蓄電池システム２０は、充放電可能な蓄電池や当該蓄電池の充放電を制御するパワーコンディショナ等を具備する。各住宅用蓄電池システム２０は、所定の住宅Ｈに対応するように設けられる（１つの住宅Ｈに対して、１つの住宅用蓄電池システム２０が設けられる）。各住宅用蓄電池システム２０は、前記所定の住宅Ｈ（住宅Ｈの住人）に所有されている。
【００３０】
また、各住宅用蓄電池システム２０は、配電線Ｌの中途部に接続される。具体的には、第一住宅用蓄電池システム２１、第二住宅用蓄電池システム２２、・・、第Ｎ住宅用蓄電池システム２Ｎは、それぞれ配電線Ｌの第一連結点Ｐ１、第二連結点Ｐ２、・・、第Ｎ連結点ＰＮに接続される。なお、第一連結点Ｐ１、第二連結点Ｐ２、・・、第Ｎ連結点ＰＮは、配電線Ｌにおいて下流側（前記複数の住宅側）から上流側（系統電源Ｓ側）へ向けて順番に配置されている。
【００３１】
また、各住宅用蓄電池システム２０は、所定の充電時間帯（例えば、２３時から７時までの間）に、系統電源Ｓからの電力が充電されるように構成される。こうして、深夜料金が適用された比較的安価な電力を各住宅用蓄電池システム２０に充電させ、当該充電させた電力を（深夜料金が適用されない）昼間の時間帯に放電させることにより、比較的高価な電力の購入量を減少させることができる。なお、各住宅用蓄電池システム２０に充電させた電力は、電力小売事業者が電力会社から一括購入した後の電力が分配されたものである。すなわち、各住宅用蓄電池システム２０に充電された電力の料金は、当該各住宅用蓄電池システム２０を所有する住人から電力小売事業者へと支払われる。
【００３２】
また、各住宅用蓄電池システム２０は、上述の如く、対応するセンサ部１０のセンサ（第一センサ１１、第二センサ１２、・・、第Ｎセンサ１Ｎ）と電気的に接続される。各住宅用蓄電池システム２０は、対応するセンサ部１０のセンサから出力された信号が入力され、当該入力された信号に基づいて当該センサの検出結果を取得可能に構成される。各住宅用蓄電池システム２０は、対応するセンサ部１０のセンサの検出結果に基づいて、放電（出力）する電力量を調整する負荷追従運転を行うことができる。
【００３３】
また、各住宅用蓄電池システム２０は、動作に関するモードとして、複数のモードを有している。前記複数のモードには、「放電モード」及び「停止モード」が含まれる。放電モードとは、各住宅Ｈの消費電力に応じて、各住宅用蓄電池システム２０が動作的に（放電可能な程度に蓄電池残量が残っているか否かを問わず）放電可能な状態となるモードである。また、停止モードとは、各住宅用蓄電池システム２０が動作的に放電不可能な状態となるモードである。
【００３４】
また、各住宅用蓄電池システム２０は、所定の期間（本実施形態においては、直近の２４時間）の間に放電した電力量の総和である積算放電量を算出可能に構成される。なお、前記所定の期間は、直近の２４時間に限るものではなく、任意に設定可能である。
【００３５】
共用蓄電池システム３０は、系統電源Ｓからの電力を適宜充放電するためのシステムである。共用蓄電池システム３０は、充放電可能な蓄電池や当該蓄電池の充放電を制御するパワーコンディショナ等を具備する。共用蓄電池システム３０は、複数の住宅Ｈに共用されるように設けられる（複数の住宅Ｈに対して、１つの共用蓄電池システム３０が設けられる）。共用蓄電池システム３０は、電力小売事業者に所有されている。
【００３６】
また、共用蓄電池システム３０は、配電線Ｌの中途部に接続される。具体的には、共用蓄電池システム３０は、配電線Ｌの共用連結点ＰＴに接続される。なお、共用連結点ＰＴは、配電線Ｌにおいて第Ｎ連結点ＰＮよりも上流側（系統電源Ｓ側）に配置される。
【００３７】
また、共用蓄電池システム３０は、対応するセンサ部１０のセンサ（共用センサ１０Ｔ）と電気的に接続される。共用蓄電池システム３０は、共用センサ１０Ｔから出力された信号が入力され、当該入力された信号に基づいて当該共用センサ１０Ｔの検出結果を取得可能に構成される。共用蓄電池システム３０は、共用センサ１０Ｔの検出結果に基づいて、放電（出力）する電力量を調整する負荷追従運転を行うことができる。
【００３８】
ＥＭＳ４０は、電力供給システム１の動作を管理するエネルギーマネジメントシステム（Ｅｎｅｒｇｙ  Ｍａｎａｇｅｍｅｎｔ  Ｓｙｓｔｅｍ）である。ＥＭＳ４０は、ＲＡＭやＲＯＭ等の記憶部や、ＣＰＵ等の演算処理部、Ｉ／Ｏ等の入出力部等を具備する。ＥＭＳ４０は、所定の演算処理や記憶処理等を行うことができる。ＥＭＳ４０には、電力供給システム１の動作を制御する際に用いられる種々の情報やプログラム等が予め記憶される。
【００３９】
また、ＥＭＳ４０は、共用蓄電池システム３０及び各住宅用蓄電池システム２０と電気的に接続される。ＥＭＳ４０は、所定の信号を共用蓄電池システム３０及び各住宅用蓄電池システム２０に出力し、当該共用蓄電池システム３０及び各住宅用蓄電池システム２０の動作を制御することができる。また、ＥＭＳ４０は、共用蓄電池システム３０及び各住宅用蓄電池システム２０から所定の信号が入力可能に構成される。
【００４０】
こうして、ＥＭＳ４０は、共用蓄電池システム３０及び各住宅用蓄電池システム２０の動作に関する情報を取得することができる。具体的には、ＥＭＳ４０は、各住宅用蓄電池システム２０の積算放電量を取得することができる。また、ＥＭＳ４０は、共用蓄電池システム３０及び住宅用蓄電池システム２０が放電している（放電待機である）か否かの情報を取得することができる。また、ＥＭＳ４０は、共用蓄電池システム３０及び各住宅用蓄電池システム２０において系統電源Ｓから購入している電力量（買電量）を取得することができる。また、ＥＭＳ４０は、各住宅用蓄電池システム２０の蓄電池残量を取得することができる。
【００４１】
また、ＥＭＳ４０は、電力供給システム１の動作に関するモードとして、複数のモードを実行可能に構成される。前記複数のモードには、「通常モード」及び「均等モード」が含まれる。通常モードとは、複数の住宅用蓄電池システム２０における放電量の偏りを許容するモードである。均等モードとは、複数の住宅用蓄電池システム２０における放電量の偏りを抑制する（放電量の均等化を図る）モードである。なお、通常モード及び均等モードの何れを実行するかは、例えば電力小売事業者によって適宜選択される。
【００４２】
以下では、通常モードが実行された場合における電力の供給（融通）態様について説明する。
【００４３】
系統電源Ｓからの電力は、各住宅Ｈの消費電力に応じて、配電線Ｌを介して当該各住宅Ｈに供給される。この場合、複数の蓄電池システム（共用蓄電池システム３０及び複数の住宅用蓄電池システム２０）のうち最も下流側に配置された第一住宅用蓄電池システム２１は、第一センサ１１の検出結果に基づいて負荷追従運転を行って、所定の電力量の電力を放電する。こうして、第一住宅用蓄電池システム２１から放電された電力は、各住宅Ｈへと供給される。なお、第一住宅用蓄電池システム２１から電力が放電されると、系統電源Ｓからの電力量が減少する。
【００４４】
また、各住宅Ｈの消費電力を第一住宅用蓄電池システム２１からの電力だけで賄えない場合には、不足する分の電力が系統電源Ｓから各住宅Ｈに供給される。すなわち、系統電源Ｓからの電力（不足する分の電力）が、配電線Ｌを介して各住宅Ｈに供給される。この場合、複数の蓄電池システム（共用蓄電池システム３０及び複数の住宅用蓄電池システム２０）のうち、第一住宅用蓄電池システム２１よりも一つ上流側に配置された第二住宅用蓄電池システム２２は、第二センサ１２の検出結果に基づいて負荷追従運転を行って、所定の電力量の電力を放電する。こうして、第二住宅用蓄電池システム２２から放電された電力は、各住宅Ｈへと供給される。なお、第二住宅用蓄電池システム２２から電力が放電されると、系統電源Ｓからの電力量がさらに減少する。
【００４５】
このように、通常モードが実行された場合においては、各住宅Ｈの消費電力が賄えない場合に、（放電が開始された）住宅用蓄電池システム２０よりも一つ上流側に配置された住宅用蓄電池システム２０からの放電が開始されるという動作が、繰り返し行われる。このように、各住宅Ｈの消費電力に対して、複数の蓄電池システムのうち、下流側に配置された蓄電池システムから上流側に配置された蓄電池システムへと順次放電が開始されていく。
【００４６】
なお、第Ｎ住宅用蓄電池システム２Ｎから電力が放電されても各住宅Ｈの消費電力が賄えない場合には、共用蓄電池システム３０からの電力が放電される。そして、共用蓄電池システム３０から電力が放電されても各住宅Ｈの消費電力が賄えない場合には、系統電源Ｓから不足する分の電力が購入される（系統電源Ｓから購入された電力が、各住宅Ｈへと供給される）。
【００４７】
こうして、電力供給システム１においては、通常モードを実行した場合に、各住宅用蓄電池システム２０から放電された電力を、当該各住宅用蓄電池システム２０を所有する住人（住宅Ｈ）だけでなく、その他の住人（住宅Ｈ）へも供給することとなる。すなわち、電力小売事業者が電力会社から一括購入して、各住宅用蓄電池システム２０に充電させた電力（それぞれの住宅Ｈの住人が料金を支払った後の電力）を、複数の住宅Ｈ間で適宜融通することができる。
【００４８】
なお、上述の如く各住宅用蓄電池システム２０から放電された電力は、当該各住宅用蓄電池システム２０を所有する住人が電力小売事業者から購入したものである。このような構成においては、一の住宅用蓄電池システム２０に充電させた電力（当該一の住宅用蓄電池システム２０を所有する住人が電力小売事業者から購入した電力）を、他の住宅用蓄電池システム２０を所有する住宅Ｈ（住人）へと融通した場合、当該融通した電力量分の料金が、最終的に当該他の住宅Ｈの住人から一の住宅Ｈの住人へと支払われる。
【００４９】
ここで、通常モードが実行された場合においては、複数の住宅用蓄電池システム２０における放電量に偏りが生じるため、問題が生じることがある。
【００５０】
具体的には、上述の如く、通常モードが実行された場合においては、各住宅Ｈの消費電力が賄えない場合に、下流側に配置された住宅用蓄電池システム２０から上流側に配置された住宅用蓄電池システム２０へと順次放電が開始されていくため、上流側よりも下流側に配置された住宅用蓄電池システム２０の方が放電量が多くなる。そのため、複数の住宅Ｈ間で電力が融通されたことによる料金（他の住宅Ｈの住人から一の住宅Ｈの住人へと支払われる料金）は、上流側よりも下流側に配置された住宅用蓄電池システム２０を所有する住人が多く得ることとなる。
【００５１】
例えば、図２に示すように、最も下流側に配置された第一住宅用蓄電池システム２１から放電された電力だけで各住宅Ｈの消費電力が賄えている場合には、その他の住宅用蓄電池システム２０（第二住宅用蓄電池システム２２や第Ｎ住宅用蓄電池システム２Ｎ等）から電力が放電されない。このような場合、複数の住宅Ｈ間で電力が融通されたことによる料金は、第一住宅用蓄電池システム２１を所有する第一住宅Ｈ１の住人だけが得ることとなる。
【００５２】
このように、通常モードが実行された場合においては、複数の住宅用蓄電池システム２０における放電量に偏りが生じるため、複数の住宅Ｈ（住人）間で得ることができる料金が不均等となり問題であった。また、複数の住宅用蓄電池システム２０における放電量に偏りが生じるため、複数の住宅用蓄電池システム２０における寿命（耐用年数）が不均等となり問題であった。
【００５３】
そこで、電力供給システム１においては、上述の如き問題を解決するため、均等モードを実行することができる。均等モードにおいては、通常モードにおける各住宅用蓄電池システム２０の動作（負荷追従運転）をベースとして、複数の住宅用蓄電池システム２０における放電量の偏りを抑制するため補正（各住宅用蓄電池システム２０の放電に所定の放電優先順位を設ける等の処理）が行われる。
【００５４】
以下では、均等モードが実行された場合におけるＥＭＳ４０の処理について説明する。
【００５５】
均等モードが実行される場合、ＥＭＳ４０は、まず事前設定の処理を行い、その後に蓄電池システム動作の処理を行う。
【００５６】
事前設定の処理においては、ＥＭＳ４０は、放電優先順位の設定や、各住宅用蓄電池システム２０の動作に関するモードの設定を行う。また、蓄電池システム動作の処理においては、ＥＭＳ４０は、事前設定の処理で行われた設定に基づいて、各住宅用蓄電池システム２０を具体的に動作させる。なお、放電優先順位とは、各住宅用蓄電池システム２０のうち、どの住宅用蓄電池システム２０を優先的に放電させるのかを決定する判断基準となるものである。
【００５７】
まず以下では、図３を用いて、均等モードが実行された場合におけるＥＭＳ４０による事前設定の処理について説明する。
【００５８】
ステップＳ１０１において、ＥＭＳ４０は、各住宅用蓄電池システム２０の積算放電量を取得する。これにより、ＥＭＳ４０は、各住宅用蓄電池システム２０において直近の２４時間の間に放電された電力量の総和を取得する。ＥＭＳ４０は、ステップＳ１０１の処理を実行した後、ステップＳ１０２の処理を実行する。
【００５９】
ステップＳ１０２において、ＥＭＳ４０は、ステップＳ１０１で取得した積算放電量に基づいて、各住宅用蓄電池システム２０の放電優先順位を設定する。具体的には、ＥＭＳ４０は、各住宅用蓄電池システム２０に対して、積算放電量の少ない順番に高い放電優先順位（第１位、第２位、・・・、第Ｎ位）を設定する。ＥＭＳ４０は、ステップＳ１０２の処理を実行した後、ステップＳ１０３の処理を実行する。
【００６０】
ここで、図４は、設定された放電優先順位の一例を示している。なお、図４においては、一例として、複数の住宅用蓄電池システム２０のうち、下流側よりも上流側に配置された住宅用蓄電池システム２０の方が、積算放電量が少なかった場合を示している。このような場合、ＥＭＳ４０は、積算放電量の少ない順番が１番目であった第Ｎ住宅用蓄電池システム２Ｎの放電優先順位を第１位に設定する。そして、ＥＭＳ４０は、同様に順次放電優先順位を設定していき、積算放電量の少ない順番がＮ−１番目であった第二住宅用蓄電池システム２２の放電優先順位を第Ｎ−１位に設定し、積算放電量の少ない順番がＮ番目であった第一住宅用蓄電池システム２１の放電優先順位を第Ｎ位に設定する。
【００６１】
ステップＳ１０３において、ＥＭＳ４０は、ステップＳ１０２で設定した放電優先順位に基づいて、最上位（第１位）の住宅用蓄電池システム２０を放電モードに設定し、その他（第２位、・・、第Ｎ−１位、第Ｎ位）の住宅用蓄電池システム２０を停止モードに設定する。
【００６２】
すなわち、図４に示した一例においては、複数の住宅用蓄電池システム２０のうち、最上位（第１位）の第Ｎ住宅用蓄電池システム２Ｎを放電モードに設定し、その他の住宅用蓄電池システム２０（第二住宅用蓄電池システム２２や第一住宅用蓄電池システム２１等）を停止モードに設定する。
【００６３】
こうして、ＥＭＳ４０は、ステップＳ１０３の処理を実行した後、事前設定の処理を終了する。
【００６４】
次に、図５を用いて、均等モードが実行された場合におけるＥＭＳ４０による第一実施形態に係る蓄電池システム動作の処理について説明する。
【００６５】
ステップＳ１１１において、ＥＭＳ４０は、共用蓄電池システム３０が放電しているか否かを判断する。ＥＭＳ４０は、共用蓄電池システム３０が放電していると判断すると（ステップＳ１１１でＹｅｓ）、ステップＳ１１２の処理を実行する。なお、共用蓄電池システム３０が放電している場合とは、放電モードに設定された（すなわち、動作的に放電可能な状態の）全ての住宅用蓄電池システム２０から電力が放電されても各住宅Ｈの消費電力が賄えない場合を示している。
【００６６】
ステップＳ１１２において、ＥＭＳ４０は、放電優先順位の１番低い住宅用蓄電池システム２０が放電モードに設定されているか否かを判断する。ＥＭＳ４０は、放電優先順位の１番低い住宅用蓄電池システム２０が放電モードに設定されていないと判断すると（ステップＳ１１２でＮｏ）、ステップＳ１１３の処理を実行する。なお、放電優先順位の１番低い住宅用蓄電池システム２０が放電モードに設定されていない場合とは、停止モードに設定された住宅用蓄電池システム２０が存在している場合を示している。
【００６７】
ステップＳ１１３において、ＥＭＳ４０は、現在停止モードに設定されている住宅用蓄電池システム２０のうち、最も放電優先順位の高い住宅用蓄電池システム２０を放電モードに変更する。こうして、ＥＭＳ４０は、放電モードに設定された住宅用蓄電池システム２０の数を増加させ、ひいては放電モードに設定された全ての住宅用蓄電池システム２０からの電力量を増加させる。ＥＭＳ４０は、ステップＳ１１３の処理を実行した後、ステップＳ１１４の処理を実行する。
【００６８】
このように、放電モードに設定された全ての住宅用蓄電池システム２０から電力が放電されても各住宅Ｈの消費電力が賄えない場合（ステップＳ１１１でＹｅｓ）であって、且つ停止モードに設定された住宅用蓄電池システム２０が存在している場合（ステップＳ１１２でＮｏ）には、放電モードに設定された住宅用蓄電池システム２０の数を増加させることによって、放電モードに設定された全ての住宅用蓄電池システム２０からの電力量を増加させることができる（ステップＳ１１３）。
【００６９】
ステップＳ１１４において、ＥＭＳ４０は、共用蓄電池システム３０が放電待機であるか否かを判断する。ＥＭＳ４０は、共用蓄電池システム３０が放電待機ではないと判断すると（ステップＳ１１４でＮｏ）、再びステップＳ１１２の処理を実行する。なお、共用蓄電池システム３０が放電待機ではない場合とは、放電モードに設定された全ての住宅用蓄電池システム２０から電力が放電されても各住宅Ｈの消費電力が賄えない場合（共用蓄電池システム３０も電力を放電している場合）を示している。
【００７０】
このような場合、ＥＭＳ４０は、再びステップＳ１１２の処理を実行することによって、可能であれば（停止モードに設定された住宅用蓄電池システム２０が存在していれば）、放電モードに設定された全ての住宅用蓄電池システム２０からの電力量を増加させるように、放電モードに設定された住宅用蓄電池システム２０の数を増加させる。
【００７１】
また、ステップＳ１１４において、ＥＭＳ４０は、共用蓄電池システム３０が放電待機であると判断すると（ステップＳ１１４でＹｅｓ）、蓄電池システム動作の処理を終了する。なお、共用蓄電池システム３０が放電待機である場合とは、放電モードに設定された各住宅用蓄電池システム２０から放電された電力によって、各住宅Ｈの消費電力が賄えている場合（共用蓄電池システム３０が放電する必要がない場合）を示している。
【００７２】
また、ステップＳ１１２において、ＥＭＳ４０は、放電優先順位の１番低い住宅用蓄電池システム２０が放電モードに設定されていると判断すると（ステップＳ１１２でＹｅｓ）、蓄電池システム動作の処理を終了する。なお、放電優先順位の１番低い住宅用蓄電池システム２０が放電モードに設定されている場合とは、停止モードに設定された住宅用蓄電池システム２０が存在していない場合を示している。
【００７３】
このような場合、ＥＭＳ４０は、放電モードに設定された住宅用蓄電池システム２０の数を増加させることができないため、放電モードに設定された全ての住宅用蓄電池システム２０からの電力量を増加させることもできない。こうして、放電優先順位の１番低い住宅用蓄電池システム２０が放電モードに設定されている場合には、系統電源Ｓから不足する分の電力が購入され、当該購入された電力が各住宅Ｈへと供給される。
【００７４】
また、ステップＳ１１１において、ＥＭＳ４０は、共用蓄電池システム３０が放電していないと判断すると（ステップＳ１１１でＮｏ）、蓄電池システム動作の処理を終了する。なお、共用蓄電池システム３０が放電していない場合とは、放電モードに設定された各住宅用蓄電池システム２０から放電された電力によって、各住宅Ｈの消費電力が賄えている場合（共用蓄電池システム３０が放電する必要がない場合）を示している。
【００７５】
このように、第一実施形態に係る蓄電池システム動作の処理により、住宅用蓄電池システム２０の動作（放電）を制御することによって、複数の住宅用蓄電池システム２０における放電量の偏り（積算放電量の偏り）の解消を図ることができる（特定の住宅用蓄電池システム２０に放電や充電が偏るのを効果的に防止することができる）。こうして、複数の住宅用蓄電池システム２０における放電量に生じた偏りの解消を図ることによって、複数の住宅Ｈ（住人）間で得ることができる料金の均等化を図ることができる。以下において、図６を用いて具体的に説明する。
【００７６】
ここで、図６は、図４に示した放電優先順位の一例において、均等モード（蓄電池システム動作の処理）が実行された場合の電力の供給態様を示している。図４に示す一例においては、放電モードに設定された蓄電池システムが第Ｎ住宅用蓄電池システム２Ｎだけであったため、各住宅Ｈの消費電力に対して、当該第Ｎ住宅用蓄電池システム２Ｎから放電された電力が供給されている。
【００７７】
そして、もし第Ｎ住宅用蓄電池システム２Ｎから放電された電力だけでは、各住宅Ｈの消費電力が賄えない場合（ステップＳ１１１でＹｅｓ）には、現在停止モードに設定されている住宅用蓄電池システム２０のうち、最も放電優先順位の高い住宅用蓄電池システム２０（本実施形態においては、図４に示す第Ｎ−１住宅用蓄電池システム）を放電モードに変更する（ステップＳ１１３）。こうして、放電モードに設定された住宅用蓄電池システム２０の数を１つから２つに増加させ、ひいては放電モードに設定された全ての住宅用蓄電池システム２０（当該第Ｎ住宅用蓄電池システム２Ｎ及び前記第Ｎ−１住宅用蓄電池システム）からの電力量を増加させる。
【００７８】
このように、蓄電池システム動作の処理により各住宅用蓄電池システム２０の放電に所定の放電優先順位を設けることによって、複数の住宅用蓄電池システム２０における放電量の偏り（積算放電量の偏り）の解消を図ることができる。こうして、複数の住宅用蓄電池システム２０における放電量に生じた偏りの解消を図ることによって、複数の住宅Ｈ（住人）間で得ることができる料金の均等化を図ることができる。
【００７９】
また、複数の住宅用蓄電池システム２０における放電量に生じた偏りの解消を図ることによって、当該複数の住宅用蓄電池システム２０における充放電回数の偏りも解消することができる。こうして、複数の住宅用蓄電池システム２０における充放電回数を均等化させることができるため、ひいては当該複数の住宅用蓄電池システム２０における寿命（耐用年数）の均等化を図ることができる。
【００８０】
ここで、放電モードに設定された住宅用蓄電池システム２０が複数存在する場合、放電モードに設定された住宅用蓄電池システム２０のうち、上流側に配置された住宅用蓄電池システム２０の放電優先順位が、当該住宅用蓄電池システム２０よりも下流側に配置された住宅用蓄電池システム２０の放電優先順位よりも高いことがある。この場合、上流側の住宅用蓄電池システム２０の放電優先順位の方が、下流側の住宅用蓄電池システム２０の放電優先順位よりも高いにもかかわらず、下流側の住宅用蓄電池システム２０の出力（放電量）の方が、上流側の住宅用蓄電池システム２０の出力よりも大きくなるという問題がある。以下、図７を用いて具体的に説明する。
【００８１】
図７に示すように、電力小売事業者が電力会社から一括購入した電力を３つの住宅Ｈ（第一住宅Ｈ１、第二住宅Ｈ２及び第三住宅Ｈ３）間で適宜供給（融通）する電力供給システム１において、第三住宅用蓄電池システム２３の放電優先順位が第１位に設定され、第二住宅用蓄電池システム２２の放電優先順位が第２位に設定され、第一住宅用蓄電池システム２１の放電優先順位が第３位に設定されているとする。また、第一住宅Ｈ１の消費電力が５００Ｗ、第二住宅Ｈ２の消費電力が１３００Ｗ、第三住宅Ｈ３の消費電力が１７００Ｗであるものとする。また、各住宅用蓄電池システム２０の最大出力（最大放電能力）が２０００Ｗであるものとする。
【００８２】
図５に示す蓄電池システム動作の処理によって、各住宅Ｈの消費電力の合計の電力（３５００Ｗ）を賄うことができる台数の住宅用蓄電池システム２０が、放電優先順位の高い順に放電モードに設定される。よって、図７に示す電力供給システム１においては、第二住宅用蓄電池システム２２及び第三住宅用蓄電池システム２３が放電モードに設定され、第一住宅用蓄電池システム２１は停止モードに設定される。
【００８３】
図７に示す電力供給システム１において、各住宅Ｈの消費電力の合計の電力（３５００Ｗ）が、系統電源Ｓから配電線Ｌを介して当該各住宅Ｈに供給される。この場合、第二センサ１２による検出結果は３５００Ｗとなる。放電モードに設定された複数の（２台の）住宅用蓄電池システム２０のうち最も下流側に配置された第二住宅用蓄電池システム２２は、第二センサ１２の検出結果に基づいて負荷追従運転を行うため、最大出力（２０００Ｗ）で電力を出力する。こうして、第二住宅用蓄電池システム２２から出力された電力は、各住宅Ｈへと供給される。
【００８４】
第二住宅用蓄電池システム２２から電力（２０００Ｗ）が放電されると、第二住宅用蓄電池システム２２で賄えなかった分の電力（１５００Ｗ）が、系統電源Ｓから配電線Ｌを介して当該各住宅Ｈに供給される。この場合、第三センサ１３による検出結果は１５００Ｗとなる。第三住宅用蓄電池システム２３は、第三センサ１３の検出結果に基づいて負荷追従運転を行うため、１５００Ｗで電力を出力する。
【００８５】
このように、放電モードに設定された２台の住宅用蓄電池システム２０のうち、上流側の第三住宅用蓄電池システム２３の放電優先順位の方が、下流側の第二住宅用蓄電池システム２２の放電優先順位よりも高いにもかかわらず、第二住宅用蓄電池システム２２の出力の方が、第三住宅用蓄電池システム２３の出力よりも大きくなってしまう。つまり、複数の住宅用蓄電池システムを放電モードに設定した場合、本来、その中でも放電優先順位の高い住宅用蓄電池システム２０の出力を大きく（最大出力に）したいにもかかわらず、そうはなっていない。
【００８６】
そこで、本実施形態に係る電力供給システム１においては、上述の如き問題を解決するため、均等モードが実行された場合において、出力抑制の処理を実行することができる。出力抑制の処理は、複数の住宅用蓄電池システム２０が放電モードに設定された場合に、当該放電モードに設定された複数の住宅用蓄電池システム２０において、放電優先順位に応じた出力とするための制御が行われる。
【００８７】
以下では、図８を用いて、均等モードが実行された場合におけるＥＭＳ４０による出力抑制の処理について説明する。
【００８８】
ステップＳ１２１において、ＥＭＳ４０は、複数の住宅用蓄電池システム２０が放電しているか否かを判断する。すなわち、ＥＭＳ４０は、現在放電モードに設定している（放電指示を行っている）住宅用蓄電池システム２０が複数台存在するか否かを判断する。ＥＭＳ４０は、複数の住宅用蓄電池システム２０が放電していると判断すると（ステップＳ１２１でＹｅｓ）、ステップＳ１２２の処理を実行する。
【００８９】
なお、複数の住宅用蓄電池システム２０が放電している場合（ステップＳ１２１でＹｅｓ）とは、放電優先順位の最も高い住宅用蓄電池システム２０のみから電力が放電されても各住宅Ｈの消費電力が賄えない場合を示している。
【００９０】
ステップＳ１２２において、ＥＭＳ４０は、現在放電モードに設定している（放電指示を行っている）住宅用蓄電池システム２０のうち、放電優先順位の高い住宅用蓄電池システム２０が、各住宅用蓄電池システム２０の最大出力で出力しているか否かを判断する。具体的には、ＥＭＳ４０は、現在放電モードに設定している住宅用蓄電池システム２０のうち、放電優先順位の１番低い住宅用蓄電池システム２０を除く全ての住宅用蓄電池システム２０が最大出力で出力しているか否かを判断する。ＥＭＳ４０は、放電優先順位の高い住宅用蓄電池システム２０が最大出力で出力していない判断すると（ステップＳ１２２でＮｏ）、ステップＳ１２３の処理を実行する。
【００９１】
ステップＳ１２３において、ＥＭＳ４０は、現在放電モードに設定している（放電指示を行っている）住宅用蓄電池システム２０のうち、放電優先順位の１番低い住宅用蓄電池システム２０に出力抑制指示を行う。本実施形態において出力抑制とは、目標値まで住宅用蓄電池システム２０の出力値を（段階的に又は一気に）低下させることをいう。放電優先順位の１番低い住宅用蓄電池システム２０の出力を低下させることで、その低下分が、最大出力で出力していなかった住宅用蓄電池システム２０の出力に割り振られる。ＥＭＳ４０は、最大出力で出力していなかった住宅用蓄電池システム２０の出力が最大出力となるまで、放電優先順位の１番低い住宅用蓄電池システム２０の出力を低下させる。ＥＭＳ４０は、ステップＳ１２３の処理を実行した後、ステップＳ１２４の処理を実行する。
【００９２】
ステップＳ１２４において、ＥＭＳ４０は、現在放電モードに設定している（放電指示を行っている）住宅用蓄電池システム２０のうち、放電優先順位の高い住宅用蓄電池システム２０（具体的には、ステップＳ１２２で最大出力で出力していないと判断された住宅用蓄電池システム２０）が、当該住宅用蓄電池システム２０の最大出力で出力しているか否かを判断する。ＥＭＳ４０は、放電優先順位の高い住宅用蓄電池システム２０が最大出力で出力していない判断すると（ステップＳ１２４でＮｏ）、ステップＳ１２５の処理を実行する。一方、ＥＭＳ４０は、放電優先順位の高い住宅用蓄電池システム２０が最大出力で出力していると判断すると（ステップＳ１２４でＹｅｓ）、再びステップＳ１２４の処理を実行する。なお、放電優先順位の高い住宅用蓄電池システム２０が最大出力で出力していない場合（ステップＳ１２４でＮｏ）とは、各住宅Ｈの消費電力が低下したことにより、ステップＳ１２３で最大出力まで出力を上げた住宅用蓄電池システム２０の出力が低下したことを示している。
【００９３】
ステップＳ１２５において、ＥＭＳ４０は、出力抑制指示をした住宅用蓄電池システム２０に出力抑制の解除指示を行う。このように、ステップＳ１２４において、ステップＳ１２３で最大出力まで出力を上げた住宅用蓄電池システム２０の出力が低下したと判断された場合には、放電優先順位の高い住宅用蓄電池システム２０を再び最大出力で出力させるため、一旦、出力抑制を解除し、（後述するＳ１２６の処理後）再び出力抑制の処理を行う。ＥＭＳ４０は、ステップＳ１２５の処理を実行した後、ステップＳ１２６の処理を実行する。
【００９４】
ステップＳ１２６において、ＥＭＳ４０は、必要に応じて放電優先順位を変更する。ＥＭＳ４０は、各住宅用蓄電池システム２０の現在の蓄電池残量に基づいて積算放電量を算出し直し、積算放電量の少ない順番に変更がある場合には放電優先順位の変更を行う。ＥＭＳ４０は、ステップＳ１２６の処理を実行した後、出力抑制の処理を終了する。
【００９５】
また、ステップＳ１２１において、ＥＭＳ４０は、複数の住宅用蓄電池システム２０が放電していないと判断すると（ステップＳ１２１でＮｏ）、出力抑制モードの処理を終了する。これは、住宅用蓄電池システム２０が１台しか放電していない場合には、放電優先順位の最も高い住宅用蓄電池システム２０しか放電しておらず、出力抑制を行う必要性がないからである。
【００９６】
また、ステップＳ１２２において、ＥＭＳ４０は、現在放電モードに設定している住宅用蓄電池システム２０のうち、放電優先順位の高い住宅用蓄電池システム２０（放電優先順位の１番低い住宅用蓄電池システム２０を除く全ての住宅用蓄電池システム２０）が最大出力で出力していると判断すると（ステップＳ１２２でＹｅｓ）、出力抑制の処理を終了する。これは、放電優先順位の高い住宅用蓄電池システム２０（放電優先順位の１番低い住宅用蓄電池システム２０を除く全ての住宅用蓄電池システム２０）が最大出力で出力している場合、出力を修正（抑制）する必要がないためである。
【００９７】
このようにして、複数の住宅用蓄電池システムが放電モードに設定されている場合に、放電優先順位の１番低い住宅用蓄電池システム２０を除く全ての住宅用蓄電池システム２０の出力を最大出力とすることができる。
【００９８】
以下、図９を用いて、出力抑制の処理について具体的な例を挙げて説明する。なお、図９に示す電力供給システム１において、各住宅Ｈの消費電力、各住宅用蓄電池システムの最大出力、放電優先順位の設定等の条件は、図７に示すものと同じとする。
【００９９】
前述の如く、第二住宅用蓄電池システム２２及び第三住宅用蓄電池システム２３が放電モードに設定され、第一住宅用蓄電池システム２１は停止モードに設定される。そして、第二住宅用蓄電池システム２２及び第三住宅用蓄電池システム２３がそれぞれ負荷追従運転を行うことで、第二住宅用蓄電池システム２２は２０００Ｗで電力を出力し、第一住宅用蓄電池システム２１は１５００Ｗで電力を出力する。
【０１００】
この場合、２台の住宅用蓄電池システム２０が放電しており（図８に示すステップＳ１２１でＹｅｓ）、また、放電優先順位が第１位である第三住宅用蓄電池システム２３が最大出力（２０００Ｗ）で出力していないため（図８に示すステップＳ１２２でＮｏ）、放電モードに設定された２台の住宅用蓄電池システム２０のうち放電優先順位の１番低い第二住宅用蓄電池システム２２に、出力抑制指示がなされる（図８に示すステップＳ１２３）。具体的には、放電モードに設定された２台の住宅用蓄電池システム２０のうち放電優先順位の１番低い第二住宅用蓄電池システム２２の出力（２０００Ｗ）が、第三住宅用蓄電池システム２３の出力が最大出力となるまで抑制される。つまり、第二住宅用蓄電池システム２２の出力は、１５００Ｗに抑制される。
【０１０１】
第二住宅用蓄電池システム２２の出力が１５００Ｗに抑制されると、第二住宅用蓄電池システム２２で賄えなかった分の電力（２０００Ｗ）が、系統電源Ｓから配電線Ｌを介して当該各住宅Ｈに供給される。この場合、第三センサ１３による検出結果は２０００Ｗとなる。第三住宅用蓄電池システム２３は、第三センサ１３の検出結果に基づいて負荷追従運転を行うため、最大出力（２０００Ｗ）で電力を出力する。
【０１０２】
このようにして、放電モードに設定された複数の（２台の）住宅用蓄電池システム２０のうち、放電優先順位が第１位である第三住宅用蓄電池システム２３が、放電優先順位が第２位である第二住宅用蓄電池システム２２よりも上流側に配置されている場合であっても、放電優先順位が第１位である第三住宅用蓄電池システム２３を最大出力で出力させることができる。
【０１０３】
次に、図１０を用いて、３台の住宅用蓄電池システム２０が放電モードに設定された場合における出力抑制について、例を挙げて説明する。
【０１０４】
図１０に示すように、第二住宅用蓄電池システム２２の放電優先順位が第１位に設定され、第三住宅用蓄電池システム２３の放電優先順位が第２位に設定され、第一住宅用蓄電池システム２１の放電優先順位が第３位に設定されているとする。また、第一住宅Ｈ１の消費電力が１５００Ｗ、第二住宅Ｈ２の消費電力が１３００Ｗ、第三住宅Ｈ３の消費電力が１７００Ｗであるものとする。その他の条件は図７及び図９に示すものと同じとする。
【０１０５】
図５に示す蓄電池システム動作の処理によって、各住宅Ｈの消費電力の合計の電力（４５００Ｗ）を賄うことができる台数の住宅用蓄電池システム２０が、放電優先順位の高い順に放電モードに設定される。よって、図１０に示す電力供給システム１においては、第一住宅用蓄電池システム２１、第二住宅用蓄電池システム２２及び第三住宅用蓄電池システム２３が放電モードに設定される。
【０１０６】
図１０に示す電力供給システム１において、各住宅Ｈの消費電力の合計の電力（４５００Ｗ）が、系統電源Ｓから配電線Ｌを介して当該各住宅Ｈに供給される。この場合、第一センサ１１による検出結果は４５００Ｗとなる。放電モードに設定された複数の（３台の）住宅用蓄電池システム２０のうち最も下流側に配置された第一住宅用蓄電池システム２１は、第一センサ１１の検出結果に基づいて負荷追従運転を行うため、最大出力（２０００Ｗ）で電力を出力する。こうして、第一住宅用蓄電池システム２１から出力された電力は、各住宅Ｈへと供給される。
【０１０７】
第一住宅用蓄電池システム２１から電力（２０００Ｗ）が放電されると、第一住宅用蓄電池システム２１で賄えなかった分の電力（２５００Ｗ）が、系統電源Ｓから配電線Ｌを介して当該各住宅Ｈに供給される。この場合、第二センサ１２による検出結果は２５００Ｗとなる。第二住宅用蓄電池システム２２は、第二センサ１２の検出結果に基づいて負荷追従運転を行うため、最大出力（２０００Ｗ）で電力を出力する。こうして、第二住宅用蓄電池システム２２から出力された電力は、各住宅Ｈへと供給される。
【０１０８】
第二住宅用蓄電池システム２２から電力（２０００Ｗ）が放電されると、第一住宅用蓄電池システム２１及び第二住宅用蓄電池システム２２で賄えなかった分の電力（５００Ｗ）が、系統電源Ｓから配電線Ｌを介して当該各住宅Ｈに供給される。この場合、第三センサ１３による検出結果は５００Ｗとなる。第三住宅用蓄電池システム２３は、第三センサ１３の検出結果に基づいて負荷追従運転を行うため、５００Ｗで電力を出力する。こうして、第三住宅用蓄電池システム２３から出力された電力は、各住宅Ｈへと供給される。
【０１０９】
この結果、放電優先順位が第３位である第一住宅用蓄電池システム２１の出力が最大出力（２０００Ｗ）であるのに対して、放電優先順位が第２位である第二住宅用蓄電池システム２２の出力が５００Ｗとなる。このため、放電モードに設定された３台の住宅用蓄電池システム２０のうち放電優先順位の１番低い第一住宅用蓄電池システム２１の出力（２０００Ｗ）を、第三住宅用蓄電池システム２３の出力が最大出力となるように抑制する。つまり、第一住宅用蓄電池システム２１の出力は、５００Ｗに抑制される。
【０１１０】
第一住宅用蓄電池システム２１の出力が５００Ｗに抑制されると、第一住宅用蓄電池システム２１で賄えなかった分の電力（４０００Ｗ）が、系統電源Ｓから配電線Ｌを介して当該各住宅Ｈに供給される。この場合、第二センサ１２による検出結果も４０００Ｗとなる。第二住宅用蓄電池システム２２は、第二センサ１２の検出結果に基づいて負荷追従運転を行うため、最大出力（２０００Ｗ）で電力を出力する。
【０１１１】
第二住宅用蓄電池システム２２から電力（２０００Ｗ）が放電されると、第一住宅用蓄電池システム２１及び第二住宅用蓄電池システム２２で賄えなかった分の電力（２０００Ｗ）が、系統電源Ｓから配電線Ｌを介して当該各住宅Ｈに供給される。この場合、第三センサ１３による検出結果も２０００Ｗとなる。第三住宅用蓄電池システム２３は、第三センサ１３の検出結果に基づいて負荷追従運転を行うため、最大出力（２０００Ｗ）で電力を出力する。こうして、第三住宅用蓄電池システム２３から出力された電力は、各住宅Ｈへと供給される。
【０１１２】
このようにして、放電モードに設定された住宅用蓄電池システム２０が３台以上あっても、放電優先順位の１番低い第一住宅用蓄電池システム２１を除く全ての住宅用蓄電池システム２０（第二住宅用蓄電池システム２２及び第三住宅用蓄電池システム２３）を最大出力で出力させることができる。
【０１１３】
以上の如く、本実施形態に係る電力供給システム１は、電力を充放電可能であって負荷へと電力を出力可能な複数の住宅用蓄電池システム２０（蓄電装置）と、前記住宅用蓄電池システム２０の動作を制御するＥＭＳ４０（制御部）と、を具備し、前記ＥＭＳ４０は、複数の前記住宅用蓄電池システム２０それぞれに優先順位を設定し、前記優先順位の高い前記住宅用蓄電池システム２０から優先的に放電指示を行い、２以上の前記住宅用蓄電池システム２０に放電指示を行い、且つ、前記放電指示を受けた前記住宅用蓄電池システム２０のうち一の住宅用蓄電池システム２０の出力が当該一の住宅用蓄電池システム２０の最大出力でない場合は、前記一の住宅用蓄電池システム２０よりも前記優先順位の低い前記住宅用蓄電池システム２０の出力を抑制する出力抑制を行うものである。
このように構成されることにより、設定した優先順位に基づいて複数の住宅用蓄電池システム２０を放電させる場合に、放電させる住宅用蓄電池システム２０の間で優先順位が高い住宅用蓄電池システム２０の出力の増大を図ることができる。
【０１１４】
また、前記出力抑制が行われる前記住宅用蓄電池システム２０は、前記放電指示を受けた前記住宅用蓄電池システム２０のうち前記優先順位の最も低い前記住宅用蓄電池システム２０であるものである。
このように構成されることにより、優先順位の最も低い住宅用蓄電池システム２０の出力の抑制分を、出力が最大出力でなかった他の住宅用蓄電池システム２０の出力に充てることができる。
【０１１５】
また、前記ＥＭＳ４０は、前記出力抑制を行った後に前記一の住宅用蓄電池システム２０の出力が前記最大出力でなくなった場合には、前記出力抑制を解除するものである。
このように構成されることにより、各住宅Ｈの消費電力が比較的少なくなった場合に、出力抑制を解除することができる。
【０１１６】
また、前記ＥＭＳ４０は、前記出力抑制を解除後に前記優先順位を変更するものである。
このように構成されることにより、放電優先順位をより適したものとすることができる。
【０１１７】
また、前記ＥＭＳ４０は、前記住宅用蓄電池システム２０の積算放電量に基づいて前記優先順位を設定するものである。
このように構成されることにより、蓄電装置の放電量の偏りを低減することができる。
【０１１８】
なお、本実施形態に係る住宅用蓄電池システム２０は、蓄電装置の実施の一形態である。
また、本実施形態に係るＥＭＳ４０は、制御部の実施の一形態である。
【０１１９】
以上、本発明の一実施形態を説明したが、本発明は上記構成に限定されるものではなく、特許請求の範囲に記載された発明の範囲内で種々の変更が可能である。
【０１２０】
例えば、本実施形態においては、放電指示を受けた住宅用蓄電池システム２０のうち放電優先順位の１番低いものを出力抑制するものとしたが、出力抑制の対象はこれに限定されるものではなく、最大出力で出力していなかった住宅用蓄電池システム２０よりも放電優先順位が低い任意の住宅用蓄電池システム２０を出力抑制の対象とすることができる。
【０１２１】
また、本実施形態においては、出力抑制の対象となる住宅用蓄電池システム２０の台数は１台であったが、これに限定されるものではなく、２台以上であってもよい。
【０１２２】
また、本実施形態においては、出力抑制解除後に必要に応じて放電優先順位を変更するものとしたが（ステップＳ１２６）、この処理は省略してもよい。
【０１２３】
また、本実施形態においては、住宅用蓄電池システム２０の積算放電量に基づいて放電優先順位を決定するものとしたが、放電優先順位を決定する基準はこれに限定されるものではなく、例えば住宅用蓄電池システム２０の充電状態（電力を蓄積可能な定格容量に対して蓄積されている充電残量の割合）や充電回数に基づいて決定するものであってもよい。
【０１２４】
なお、本実施形態においては、各住宅用蓄電池システム２０は、所定の充電時間帯に系統電源Ｓからの電力が充電されるように構成されたが、これに限定されない。例えば、各住宅用蓄電池システム２０は、太陽光や風力等の自然エネルギーを利用して発電された電力が充電されるように構成されてもよい。
【符号の説明】
【０１２５】
１      電力供給システム
２０    住宅用蓄電池システム
４０    ＥＭＳ
【図１】
2018186676.tif 000003
【図２】
2018186676.tif 000004
【図３】
2018186676.tif 000005
【図４】
2018186676.tif 000006
【図５】
2018186676.tif 000007
【図６】
2018186676.tif 000008
【図７】
2018186676.tif 000009
【図８】
2018186676.tif 000010
【図９】
2018186676.tif 000011
【図１０】
2018186676.tif 000012